(57)【特許請求の範囲】
【請求項１】
美顔術に使用し、ミストを顔に吹き付け、皮膚に吸収させる携帯用超音波ミスト発生美顔術装置であって、
液体収容タンクと、
前記タンクの底面に設けられ、前記タンクの液体を超音波振動させ、その液面から液柱を噴出させ、前記液柱によってミストを発生させる超音波振動子と、
前記液面の上方に配置され、前記液柱を衝突させ、その高さを制限し、前記液柱のしずくを前記液柱のまわりに導き、前記液柱から離れた位置において、前記液柱のしずくを前記液面に落下させるドーム状のカバーと、
前記タンクに接続されたノズルと、
エアを前記タンクに送るファンとからなり、
前記エアによって前記ミストを送り、これを前記ノズルから噴出させるようにし、
前記カバーは平面から見て多角形状のもので、多数のコーナーを有し、前記液柱のしずくが前記各コーナーから落下するようにしたことを特徴とする携帯用超音波ミスト発生美顔術装置。
【請求項２】
前記ファンとタンク間の流路が前記タンクの水平断面中央部の上方を経由し、前記タンクに開口していることを特徴とする請求項１に記載の装置。
【請求項３】
前記ノズルとタンク間の流路が前記タンクの水平断面中央部の上方を経由し、前記タンクに開口していることを特徴とする請求項２に記載の装置。
【発明の詳細な説明】
【技術分野】
【０００１】
この発明は、携帯用超音波ミスト発生美顔術装置に関するものである。
【背景技術】
【０００２】
本願出願前、出願人は新しい形式の携帯用超音波ミスト発生装置を開発し、提案した。特開２００５−１１１３２８号公報（特許文献１）および特開２００６−１４２１１９号公報（特許文献２）に記載されているものがそれである。
【０００３】
各公報の装置は液体収容タンクおよび超音波振動子を有し、超音波振動子はタンクの底面に設けられる。したがって、超音波振動子によってタンクの液体を超音波振動させ、その液面から液柱を噴出させ、液柱によってミストを発生させることができる。そのミストはきわめて小さい。さらに、ノズルがタンクに接続され、エアがタンクに送られ、エアによってミストが送られ、これがノズルから噴出する。したがって、たとえば、この装置を美顔術に使用し、ミストを顔に吹き付け、皮膚に吸収させることができる。
【０００４】
ところで、この場合、携帯する関係上、装置全体をコンパクト化することが好ましい。一方、ミストが重要であることは当然であり、コンパクト化によってミストの量が減少しないようにせねばならない。
【０００５】
したがって、この発明は、美顔術に使用し、ミストを顔に吹き付け、皮膚に吸収させる携帯用超音波ミスト発生美顔術装置において、装置全体をコンパクト化すること、およびコンパクト化によってミストの量が減少しないようにすることを目的としてなされたものである。
【発明の開示】
【０００６】
この発明によれば、液体収容タンクが超音波振動子と組み合わされ、超音波振動子はタンクの底面に設けられる。したがって、超音波振動子によってタンクの液体を超音波振動させ、その液面から液柱を噴出させ、液柱によってミストを発生させることができる。さらに、カバーが液面の上方に配置される。カバーはドーム状のものである。したがって、カバーに液柱を衝突させ、カバーによって液柱の高さを制限することができ、液柱のしずくを液柱のまわりに導き、液柱から離れた位置において、液柱のしずくを液面に落下させることができる。さらに、ノズルがタンクに接続され、エアがタンクに送られ、エアによってミストが送られ、これがノズルから噴出する。
【０００７】
さらに、カバーは平面から見て多角形状のもので、多数のコーナーを有する。したがって、液柱のしずくが各コーナーから落下する。
【０００８】
好ましい実施例では、ファンとタンク間の流路がタンクの水平断面中央部の上方を経由し、タンクに開口する。
【０００９】
さらに、ノズルとタンク間の流路がタンクの水平断面中央部の上方を経由し、タンクに開口する。
【発明を実施するための最良の形態】
【００１０】
以下、この発明の実施例を説明する。
【００１１】
図１はこの発明にかかる携帯用超音波ミスト発生装置を示す。この装置はケース１、液体収容タンク２および超音波振動子３を有する。ケース１は片手で握り、持つことができる大きさのものである。タンク２はケース１の上部に内蔵されており、超音波振動子３はタンク２の底面に設けられている。この実施例では、タンク２に透過膜４が設けられ、タンク２が上部と下部に分割され、超音波振動子３は下部の底面に設けられている。さらに、タンク２の下部に液体５が充填され、透過膜４によってそれが封入されており、タンク２の上部に液体６が導入される。透過膜４は樹脂製の薄膜シートからなる。
【００１２】
さらに、電子装置７およびパワートランジスタ８がケース１の下部に内蔵され、超音波振動子３に接続されており、電子装置７およびパワートランジスタ８によって超音波振動子３を駆動し、超音波９を発振させることができる。超音波９は透過膜４を透過する。その方向は超音波振動子３に垂直の方向である。したがって、超音波振動子３によってタンク２の液体５，６を超音波振動させ、その液面１０から液柱１１を噴出させ、液柱１１によってミストを発生させることができる。そのミストはきわめて小さい。
【００１３】
なお、透過膜４は水平に配置されているが、超音波振動子３は一定角度傾斜し、超音波９は透過膜４に垂直ではなく、斜めに導かれる。したがって、透過膜４に達したとき、超音波９が超音波振動子３に反射することはなく、反射した超音波９によって超音波振動子３が損傷することはない。
【００１４】
さらに、この装置では、カバー１２がタンク２と組み合わされ、ケース１の上部に内臓され、液面１０の上方に配置されている。カバー１２はドーム状のものであり、その外周縁は液柱１１のまわりに位置する。したがって、液面１０から液柱１１が噴出するとき、カバー１２に液柱１１が衝突し、カバー１２によって液柱１１の高さが制限される。液柱１１がカバー１２よりも上方に噴出することはなく、その高さはカバー１２の位置に制限される。さらに、カバー１２がドーム状である関係上、カバー１２に液柱１１が衝突したとき、そのしずくがカバー１２の下面に案内され、カバー１２の下面に沿って移動し、液柱１１のまわりに導かれる。そして、液柱１１から離れた位置において、液柱１１のしずくが液面１０に落下する。
【００１５】
さらに、図３に示すように、カバー１２は平面から見て多角形状のもので、多数のコーナー１３を有する。たとえば、カバー１２は平面から見て８角形状のもので、８つのコーナー１３を有する。したがって、液柱１１のしずくが各コーナー１３に導かれ、各コーナー１３から落下する。カバー１２は平面から見て５角形状のものであってもよく、６角形状のものであってもよい。
【００１６】
さらに、この装置はタンク２に接続されたノズル１４を有し、ノズル１４はケース１の上端に設けられており、その外部に突出する。さらに、ノズル１４とタンク２間に流路１５が形成され、カバー１２の水平方向一方側において、流路１５がタンク２に開口する。一方、ノズル１４はケース１の外部に突出するが、その位置はカバー１２の水平方向中央部の上方または水平方向他方側の上方である。カバー１２はタンク２の水平断面中央部に配置されている。したがって、ノズル１４とタンク２間の流路１５がタンク２の水平断面中央部の上方を経由し、タンク２に開口しているものである。
【００１７】
さらに、ファン１６がケース１の下部に内蔵されている。ファン１６はエアを送るためのもので、シロッコファンからなる。さらに、ファン１６とタンク２間に流路１７が形成されており、タンク２およびカバー１２の水平方向一方側において、流路１７が垂直に配置され、タンク２およびカバー１２の水平方向中央部の上方に達する。さらに、カバー１２の水平方向中央部または水平方向他方側において、流路１７がタンク２に開口する。したがって、ファン１６とタンク２間の流路１７がタンク２の水平断面中央部の上方を経由し、タンク２に開口しているものである。
【００１８】
さらに、スリット１８がケース１の側壁に形成されており、ファン１６に対向する。したがって、エアがスリット１８から吸い込まれ、流路１７を通り、タンク２に送られる。さらに、エアによってミストが送られ、これが流路１５を通り、ノズル１４から噴出する。したがって、たとえば、この装置を美顔術に使用し、ミストを顔に吹き付け、皮膚に吸収させることができる。液体５，６は水からなる。
【００１９】
したがって、この装置の場合、カバー１２によって液柱１１の高さを制限し、タンク２の高さを減少させることができ、タンク２の設置スペースの問題はない。この結果、装置全体をコンパクト化することができる。
【００２０】
さらに、カバー１２に液柱１１が衝突するが、そのしずくが液柱１１のまわりに導かれ、液柱１１から離れた位置において、液柱１１のしずくが液面１０に落下することは前述したとおりである。したがって、しずくが液柱１１に落下し、しずくによって液柱１１が減衰することはない。液柱１１によってミストが発生したとき、液柱１１付近において、しずくがミストに落下し、しずくによってミストが消失することもない。
【００２１】
さらに、この装置では、液柱１１のしずくが各コーナー１３に導かれ、各コーナー１３から落下することも前述したとおりである。したがって、しずくが各コーナー１３間の位置で落下することはなく、しずくによってミストが消失することはない。そして、ミストが各コーナー１３間の位置を通り、流路１５に導かれ、ノズル１４に送られる。
【００２２】
この結果、カバー１２に液柱１１を衝突させても、それによってミストの量は減少しない。カバー１２のない従来の装置との比較において、この装置のノズル１４から噴出するミストの量に遜色はないことは実験で確かめられている。
【００２３】
さらに、この装置では、ファン１６とタンク２間の流路１７がタンク２の水平断面中央部の上方を経由し、タンク２に開口することは前述したとおりである。ノズル１４とタンク２間の流路１５がタンク２の水平断面中央部の上方を経由し、タンク２に開口することも前述したとおりである。したがって、装置全体を傾けても、タンク２の液体が流路１７を通り、ファン１６に流れることはない。タンク２の液体が流路１５を通り、ノズル１４からこぼれることもない。装置全体が倒れることがあっても、タンク２の液体がファン１６に流れることはなく、ノズル１４からこぼれることもない。
【００２４】
なお、この装置では、液柱１１の水平方向一方側において、ＬＥＤ１９がタンク２の側壁に設けられ、他方側において、窓２０がタンク２の側壁に形成されている。ＬＥＤ１９は窓２０に対向する。したがって、ＬＥＤ１９によって液柱１１が照明され、その光が窓２０を透過し、液柱１１を窓２０から観察することができ、この装置にディスプレイ効果をもたせることができる。さらに、ＬＥＤ１９の光に美容効果があることは周知のとおりである。したがって、ミストを顔に吹き付けるだけではなく、ＬＤＥ１９の光が窓２０を透過するとき、その光を顔に照射し、ミストとＬＥＤ１９の光によって美容効果を得ることができる。さらに、赤色ＬＥＤの場合、その光に皮膚湿潤効果があることも周知のとおりである。したがって、ＬＥＤ１９に赤色ＬＥＤを使用すると、それをノズル１４のミストと併用し、皮膚を効果的に湿潤させることができる。
【００２５】
さらに、図２に示すように、ファン１６の下流位置において、ヒートシンク筒２１によって流路１７が形成され、パワートランジスタ８がヒートシンク筒２１に取り付けられている。ヒートシンク筒２１はアルミニウムなどの伝熱性材料からなる。したがって、ファン１６によってエアが送られるとき、そのエアおよびヒートシンク筒２１によってパワートランジスタ８を空冷することができる。
【図面の簡単な説明】
【００２７】
【図１】この発明の実施例を示す断面図である。
【図２】図１のファンおよびヒートシンク筒の断面図である。
【図３】図１のカバーの底面図である。
【符号の説明】
【００２８】
２  液体収容タンク
３  超音波振動子
５，６  液体
１０  液面
１１  液柱
１２  カバー
１３  コーナー
１４  ノズル
１５  流路
１６  ファン
１７  流路
【要約】
【課題】携帯用超音波ミスト発生装置において、装置全体をコンパクト化し、コンパクト化によってミストの量が減少しないようにする。
【解決手段】カバー１２が液面１０の上方に配置される。カバー１２はドーム状のものである。したがって、カバー１２に液柱１１を衝突させ、カバー１２によって液柱１１の高さを制限することができ、液柱のしずくを液柱１１のまわりに導き、液柱１１から離れた位置において、液柱１１のしずくを液面１０に落下させることができる。
【選択図】図１【図１】
0004199288.tif 000002
【図２】
0004199288.tif 000003
【図３】
0004199288.tif 000004